(57)【特許請求の範囲】
【請求項１】
移動通信ネットワークにおいて、マシンツーマシン（以下、Ｍ２Ｍと称す）装置により、基地局から伝送され、Ｍ２Ｍデバイスのひとつまたは複数のグループ及びページングレスポンスタイプを指示するページングメッセージを受信する工程と、
ページング一致規則、ページングレスポンスポリシー及び前記ページングレスポンスタイプに基づいて、前記ページングメッセージに応答するか判断する工程と、
前記移動通信ネットワークにおいて、前記基地局と接続を構築する工程と、
前記基地局から、グループ無線ネットワーク一時識別子（Ｇ−ＲＮＴＩ）を含むグループブロードキャスティングメッセージを受信する工程とを含み、
前記ページングレスポンスタイプは、モバイル発信（以下、ＭＯと称す）又はモバイル着信（以下、ＭＴと称す）の少なくともいずれか一方のタイプであり、
前記ＭＴは、接続を構築しなければならないために、前記Ｍ２Ｍ装置をアクティブモードで起動させることを示し、
前記ＭＯは、接続を構築するためのアクティブモードであるか否かを前記Ｍ２Ｍ装置が決定する必要があるかの判断を示す
をことを特徴とする方法。
【請求項２】
前記Ｍ２Ｍデバイスにより、グループ識別子（ＩＤ）設定情報を受信する工程を含み、
前記Ｍ２ＭデバイスはグループＩＤが設定される
ことを特徴とする請求項１に記載の方法。
【請求項３】
前記グループＩＤは、モビリティ管理エンティティ（ＭＭＥ）から伝送されるグループサービング一時的移動局識別子（Ｇ−Ｓ−ＴＭＳＩ）を含む
ことを特徴とする請求項２に記載の方法。
【請求項４】
前記グループＩＤは、Ｍ２Ｍアプリケーションに基づきＭ２Ｍサーバにより制御される
ことを特徴とする請求項２に記載の方法。
【請求項５】
前記ページング一致規則は、ワイルドカードを用いて、複数のＭ２Ｍデバイス、または、複数のＭ２Ｍグループを指示するページングマスクを含む
ことを特徴とする請求項１に記載の方法。
【請求項６】
前記ページング一致規則は、グループページング識別子と、Ｍ２Ｍグループカテゴリー及び／又は属性に適用される論理素子とを含む
ことを特徴とする請求項１に記載の方法。
【請求項７】
前記ページングレスポンスタイプは、前記ページングメッセージに明示的に含まれる
ことを特徴とする請求項１に記載の方法。
【請求項８】
前記ページングレスポンスタイプは、ページングＲＮＴＩ（無線ネットワーク一時識別子）、特別なページングコード及び／又はＩＤ、又は、事前設定されたページング機会により、黙示的に搭載される
ことを特徴とする請求項１に記載の方法。
【請求項９】
前記Ｍ２Ｍデバイスがグループ解除メッセージにより指示される装置タイプに属する場合、前記接続が解除される前記基地局から、前記グループ解除メッセージを受信する工程を含むことを特徴とする請求項１に記載の方法。
【請求項１０】
前記Ｍ２Ｍデバイスが既にデータをバッファしている場合だけ、前記Ｍ２ＭデバイスはＲＲＣ接続の構築を試み、
バッファされたデータが存在しない場合、前記Ｍ２ＭデバイスはＲＲＣ接続の構築を試みない
ことを特徴とする請求項１に記載の方法。
【請求項１１】
マシン型通信（ＭＴＣ）装置であって、
移動通信ネットワークにおいて、基地局から伝送され、マシンツーマシン（以下、Ｍ２Ｍと称す）デバイスのひとつまたは複数のグループ及びページングレスポンスタイプを指示するページングメッセージを、受信する無線周波数モジュール（以下、ＲＦモジュールと称す）と、
ページング一致規則、ページングレスポンスポリシー及び前記ページングレスポンスタイプに基づいて、前記ページングメッセージに応答するか決定するページング管理モジュールと、
前記基地局と接続を構築する接続管理モジュールとを備え、
前記マシン型通信装置は、前記基地局からグループブロードキャスティングメッセージを受信し、
前記グループブロードキャスティングメッセージは、グループ無線ネットワーク一時識別子（Ｇ−ＲＮＴＩ）を含み、
前記ページングレスポンスタイプは、モバイル発信（以下、ＭＯと称す）又はモバイル着信（以下、ＭＴと称す）の少なくともいずれか一方のタイプであり、
前記ＭＴは、接続を構築しなければならないために、前記Ｍ２Ｍ装置をアクティブモードで起動させることを示し、
前記ＭＯは、接続を構築するためのアクティブモードであるか否かを前記Ｍ２Ｍ装置が決定する必要があるかの判断を示す
ことを特徴とするマシン型通信装置。
【請求項１２】
前記ＲＦモジュールは、グループ識別子（ＩＤ）設定情報を受信し、
前記グループＩＤは前記Ｍ２Ｍデバイスに設定される
ことを特徴とする請求項１１に記載のマシン型通信装置。
【請求項１３】
前記グループＩＤは、モビリティ管理エンティティ（ＭＭＥ）から伝送されるグループサービング一時的移動局識別子（Ｇ−Ｓ−ＴＭＳＩ）を含む
ことを特徴とする請求項１２に記載のマシン型通信装置。
【請求項１４】
前記グループＩＤは、Ｍ２Ｍアプリケーションに基づきＭ２Ｍサーバにより制御される
ことを特徴とする請求項１２に記載のマシン型通信装置。
【請求項１５】
前記ページング一致規則は、ワイルドカードを用いて、複数のＭＴＣデバイス、または、複数のＭＴＣグループを指示するページングマスクを含む
ことを特徴とする請求項１１に記載のマシン型通信装置。
【請求項１６】
前記ページング一致規則は、グループページング識別子と、Ｍ２Ｍグループカテゴリー及び／又は属性に適用される論理素子とを含む
ことを特徴とする請求項１１に記載のマシン型通信装置。
【請求項１７】
前記ページングレスポンスタイプは、前記ページングメッセージに明示的に含まれる
ことを特徴とする請求項１１に記載のマシン型通信装置。
【請求項１８】
前記ページングレスポンスタイプは、ページングＲＮＴＩ（無線ネットワーク一時識別子）、特別なページングコード及び／又はＩＤ、または、事前設定されたページング機会により、黙示的に搭載される
ことを特徴とする請求項１１に記載のマシン型通信装置。
【請求項１９】
前記ＲＦモジュールは、前記基地局からグループ解除メッセージを受信し、
前記ＭＴＣデバイスが、前記グループ解除メッセージにより指示される装置タイプに属する場合、前記接続が解除される
ことを特徴とする請求項１１に記載のマシン型通信装置。
【請求項２０】
前記Ｍ２Ｍデバイスが、既にデータをバッファしている場合だけ、前記Ｍ２Ｍデバイスは、ＲＲＣ接続の構築を試み、
バッファされたデータが存在しない場合、前記Ｍ２Ｍデバイスは、ＲＲＣ接続の構築を試みない
ことを特徴とする請求項１１に記載のマシン型通信装置。
【請求項２１】
移動通信ネットワークにおいて、ユーザー装置（以下、ＵＥと称す）により、各ページング周期で前記ＵＥに予め定義されるページング時点を監視する工程と、
基地局により伝送され、継続フラグを含むページングメッセージを受信する工程と、
前記ＵＥが第一装置タイプに属する場合には前記継続フラグを無視し、
前記ＵＥが第二装置タイプに属する場合には、前記継続フラグがＴＲＵＥに設定される場合における前記ＵＥがページングを受信するまで、前記ページング時点の監視を継続する工程と、
を含むことを特徴とする方法。
【請求項２２】
前記継続フラグがＦＡＬＳＥに設定される場合に、前記ＵＥは、非連続受信（ＤＲＸ）モードで各ページング周期中に、ページング時点を一度監視する
ことを特徴とする請求項２１に記載の方法。
【請求項２３】
前記第二装置タイプは、マシンツーマシンの装置タイプである
ことを特徴とする請求項２１に記載の方法。
【請求項２４】
前記継続フラグを無視するか、又は、ページング時点の監視を継続するかをシグナリングすることにより、前記ＵＥが設定される
ことを特徴とする請求項２１に記載の方法。
【請求項２５】
前記ページングレスポンスポリシーは、前記Ｍ２Ｍ装置に定義されている
ことを特徴とする請求項１記載の方法。
【請求項２６】
前記ページングレスポンスポリシーは、動的に設定されている
ことを特徴とする請求項１記載の方法。
【請求項２７】
前記ページングレスポンスポリシーは、前記Ｍ２Ｍ装置がアイドルモードに入る時、又は、前記Ｍ２Ｍ装置がアイドルモードに入る前に設定される
ことを特徴とする請求項１記載の方法。
【発明の詳細な説明】
【技術分野】
【０００１】
この出願は、２０１１年７月１１日に出願された“Ｅｎｈａｎｃｅｄ  Ｐａｇｉｎｇ  Ｍｅｃｈａｎｉｓｍ  ｆｏｒ  Ｍａｃｈｉｎｅ  Ｔｙｐｅ  Ｃｏｍｍｕｎｉｃａｔｉｏｎ”と題された米国特許仮出願番号６１／５０６４６３号から、合衆国法典第３５編第１１９条の下、優先権を主張するものであり、その内容は引用によって本願に援用される。
【０００２】
本発明は、マシン型通信（ＭＴＣ）に関するものであって、特に、モバイルネットワークにおけるマシン型通信に用いる増強型ページングメカニズムに関するものである。
【背景技術】
【０００３】
マシン型通信は、必ずしも人的交流を必要としないひとつ以上のエンティティに関与するデータ通信の形式である。マシン型通信に最適化されるサービスは、人と人（Ｈ２Ｈ）通信に最適化されるサービスと異なる。通常、マシン型通信サービスは、異なるマーケット状況、純データ通信、さらに安いコストと成果に関与し、および、潜在的な大量の通信端子は、極小トラフィックの通信端子を有するので、現在のモバイルネットワーク通信サービスと異なる。
【０００４】
マシンツーマシン（Ｍ２Ｍ）とマシンタイプコミュニケーション（ＭＴＣ）は、使用実例とマシン型通信サービスの異なる特徴を説明するために用いられる。Ｍ２ＭとＭＴＣデバイスは、次世代の無線ネットワークの一部で、“モノのインターネット”を実現する。潜在的Ｍ２ＭとＭＴＣアプリケーションは、セキュリティ、トラッキングとトレース、支払い、健康、リモートメンテナンス／制御、計測、および、消費者装置を含む。マシン型通信サービスの主な特徴は、低移動度、時間制御性、遅延許容、パケットスイッチオンリー（ｐａｃｋｅｔ−ｓｗｉｔｃｈｅｄ  ｏｎｌｙ）、低データ伝送、モバイル発信オンリー、低頻度モバイル着信、ＭＴＣ監視、優先度警報、安全接続、位置特定トリガー、アップリンクデータの終点を提供するネットワーク、低頻度伝送、および、ＭＴＣ特徴に基づいたグループを含む。
【０００５】
ＭＴＣデバイスとＭＴＣサーバ、または、二個のＭＴＣデバイス間のエンドツーエンドアプリケーションが、３ＧＰＰシステムにより提供される。３ＧＰＰモバイルネットワークは、ＭＴＣに最適化される伝送と通信サービスを提供する。しかし、モバイルネットワーク中のＭ２Ｍデバイスの数は、ＵＥの現在の数、すなわち、次数の大きさ（ｏｒｄｅｒ  ｌａｒｇｅｒ）よりかなり多いことが予期される。このような大数量を有するので、ネットワークは、ページングリソースを使い果たし、余分な遅延を引き起こす。たとえば、ｍａｘＰａｇｅＲｅｃ＝１６、並びに、無線フレームの最大ページングサブフレームは４なので、モバイルネットワークは、一秒間で、最大、６，４００個のＭＴＣデバイスをページ化する。よって、潜在的な問題は、未来のＭＴＣデバイスにとって、現在のページングリソースは十分ではないことである。
【０００６】
現在、３ＧＰＰモバイルネットワークにおいて、オーバーロードをページ化する幾つかのソリューションがある。一方のソリューションでは、Ｓ１アプリケーションプロトコル（Ｓ１ＡＰ）で、ページングの優先順位を決定し、選択的に、一時的なオーバーロードで、ページ化を放棄する。他方のソリューションでは、システム情報ブロック（ＳＩＢ）修正により、動的に、ページング設定を変化させる。しかし、両ソリューションは、ＭＴＣデバイスにうまく機能しない。これは、あるＭ２Ｍアプリケーションにとって、節電の懸念のために、非常に低いデューティサイクルを有するからである。たとえば、ＭＴＣデバイスは、アップリンク（ＵＬ）データを有する、または、アイドルモード下で、現在許可されているものよりも十分に長い非連続受信（ＤＲＸ：Ｄｉｓｃｏｎｔｉｎｕｏｕｓ  Ｒｅｃｅｐｔｉｏｎ）を有する時だけ、起動する。アイドルモードのＤＲＸに加え、ＤＲＸ値がその操作にとって十分でない場合、ＭＴＣデバイスは、長いスリープ周期を有する。ページング事件（ＰＯ：Ｐａｇｉｎｇ  Ｏｃｃｕｒｒｅｎｃｅ）発生時、ＭＴＣデバイスは以下のことを行う：ＰＯの前の起動、システム情報（ＳＩ）値タグのチェック、および、最新のＳＩＢ取得；幾つかのＤＲＸ周期中、物理ダウンリンク制御チャネル（ＰＤＣＣＨ）中のページング−無線ネットワーク一時識別子  （Ｐ−ＲＮＴＩ：Ｐａｇｉｎｇ−Ｒａｄｉｏ  Ｎｅｔｗｏｒｋ  Ｔｅｍｐｏｒａｒｙ  Ｉｄｅｎｔｉｆｉｅｒ）の監視；適合するＩＤがある場合の応答；および、時間終了時に、スリープ状態に戻る。
【０００７】
ページングオーバーロードが発生する場合、ｅＮＢは、何秒かを費やして、ページングチャネルを再設定する。再設定後、さらに多くの時間を費やして、混雑を処理する。よって、ＭＴＣデバイスは、スリープに戻る前、ｅＮＢは、時間内に、ＭＴＣデバイスをページ化することができない。その後、遅延は、何分か、又は何時間か、である。さらに、オーバーロードが解決された後、ｅＮＢが、ページング設定の再設定を決定する場合、普通のＵＥは、よいことがない状況下で、二度、ＳＩＢを取得しなければならない。よって、このようなページングオーバーロードイベントは、アイドルモードで、普通のＵＥのパフォーマンスが低下する。
【発明の概要】
【発明が解決しようとする課題】
【０００８】
本発明は、３ＧＰＰネットワークにおいて、マシン型通信（ＭＴＣ）装置に用いる増強型ページングメカニズムを提供することを目的とする。
【課題を解決するための手段】
【０００９】
まず、ＭＴＣデバイスに用いる余分のページング時点を適応的に割り当て、普通のＵＥの追加工程、または、電力消費がない適応ページングが提案される。次に、一ページングを用いて、複数のＭＴＣデバイスを同時にページ化するグループページングが提案される。シグナリングを最適化し、管理を簡単にするため、グループページングは異なるレベルで制限される。具体例において、グループブロードキャスティングとグループ解除が用いられる。最後に、ＭＴＣデバイスに用いるページングレスポンスポリシーを定義、または、動的に設定するレスポンスポリシーを有するページングが提案される。
【００１０】
適応ページングにおいて、余分のページング時点が、適応的に割り当てられる。具体例において、“継続”フラグが、ページングメッセージ中に導入される。ｅＮＢが、全ページを対応するＰＯに挿入できない時、“継続”フラグをＴＲＵＥに設定する。普通のＵＥは、フラグを無視し、且つ、伝統の行為として進められる。しかし、ＭＴＣデバイスにとって、フラグが設定される時、ページングが受信されていない場合、ＭＴＣデバイスは、次のＰＯになるまで、ＤＲＸに入る代わりに、ＰＯの監視を“継続”する。一旦、ＭＴＣデバイスがページングを受信すると、フラグのページング監視軽視を停止し、ページングに応答する。
【００１１】
グループページングは、ＭＴＣデバイスのページングパフォーマンスを増強する別のメカニズムである。Ｍ２Ｍグループ化は、多くのレベルで有用である。ＡＳレベルにおいて、グループＩＤが、Ｍ２Ｍグループに設定される。一ページングが用いられて、グループ監視ページングにおいて、全ＭＴＣデバイスをページ化する。このようなＭ２Ｍグループは、ｅＮＢにより制御されて、ＡＳリソースを節約する。ＮＡＳレベルにおいて、Ｍ２Ｍグループ化は、コアネットワークレベルで実行され、たとえば、ＭＭＥにより制御されて、シグナリングオーバーヘッドを節約することが理解できる。アプリケーションレベルにおいて、管理を簡単にするため、Ｍ２Ｍグループ化は、ＭＴＣユーザー、または、ＭＴＣサーバにより制御される。異なるレベルのＭ２Ｍグループ化は、独立して、または、共存で、フレキシブル性を提供する。グループページングが、グループブロードキャスティングに用いられる。あるＭＴＣアプリケーション、たとえば、ＯＡＭ、または、ソフトウェア更新において、メッセージの内容は、ＭＴＣデバイスのグループに対し同じ可能性がある。よって、グループブロードキャスティングは有用で、無線リソースを節約する。
【００１２】
Ｍ２Ｍページングにとって、デバイスＩＤがページングメッセージ中に含まれる時、二個の可能な手段がある。第一手段において、ページングの受信後、ページ化されたＭＴＣデバイスは、起動して、接続を構築しなければならない（モバイル着信ＭＴセッション）。第二手段において、ネットワークは、ページ化されたＭＴＣデバイスに、起動して、接続を構築したいか尋ねる（モバイル発信ＭＯセッション）。よって、ページングメッセージは、ページ化されたＭＴＣデバイスが、即座に応答すべきか（ＭＴセッション）、または、ＭＯデータの可用性に基づいてだけ、応答すべきか（ＭＯセッション）どうかを指示しなければならない。異なるページングレスポンスの指示に加え、異なるレスポンスポリシーが設定されて、ページングパフォーマンスを最適化する。第一具体例において、ページングレスポンスポリシーは、装置に対し、予め定義される。第二具体例において、ページングレスポンスポリシーは、動的に割り当てられる。
【図面の簡単な説明】
【００１３】
【図１】本実施態様によるマシンタイプコミュニケーション（ＭＴＣ）に用いる増強型ページングをサポートする３ＧＰＰネットワークを示す図である。
【図２】本実施態様によるＭＴＣデバイスのブロック図である。
【図３】本実施態様による移動通信ネットワークにおけるＭＴＣデバイスに用いる増強型ページングメカニズムを示す図である。
【図４】３ＧＰＰネットワークで定義されるページングフレーム（ＰＦ）とページング時点（ＰＯ）を示す図である。
【図５】ＭＴＣデバイスに用いる適応ページング設計の一具体例を示す図である。
【図６】３ＧＰＰネットワークにおけるグループページングを示す図である。
【図７】グループページングに用いることができるＲＲＣページングメッセージを示す図である。
【図８】Ｇ−ＩＭＳＩをグループページングＩＤとするグループページングの一具体例を示す図である。
【図９】Ｇ−Ｓ−ＴＭＳＩをグループページングＩＤとするグループページングの一具体例を示す図である。
【図１０】グループページングメカニズムを用いたグループブロードキャスティングの具体例を示す図である。
【図１１】ＭＯセッション、または、ＭＴセッションに関連するページングの例を示す図である。
【図１２】ページングレスポンスポリシーを動的に割り当てる二個の選択肢を示す図である。
【発明を実施するための形態】
【００１４】
本発明の実施態様について詳細に述べる。その例は添付図面に示されている。
【００１５】
図１は、本実施態様によるマシンタイプコミュニケーション（ＭＴＣ）に用いる増強型ページングをサポートする３ＧＰＰネットワーク１００を示す図である。３ＧＰＰネットワーク１００は、複数のＭＴＣデバイス（たとえば、図１に示されるＭＴＣデバイス１１４）と通信することにより、各種ＭＴＣサービスをＭＴＣユーザー１１２に提供するＭＴＣサーバ１１１を含む。図１の例において、ＭＴＣサーバ１１１、ＭＴＣユーザー１１２、および、パケットデータネットワークゲートウェイ（ＰＤＮ  ＧＷ）１１３は、コアネットワーク１１０の一部に属する。ＭＴＣデバイス１１４とそのサービング基地局（ｅＮＢ）１１５は、無線アクセスネットワーク（ＲＡＮ）１２０の一部に属する。ＭＴＣサーバ１１１は、ＰＤＮ  ＧＷ１１３、サービングゲートウェイ（Ｓ−ＧＷ）１１６とｅＮＢ１１５により、ＭＴＣデバイス１１４と通信する。このほか、モビリティ管理エンティティ（ＭＭＥ）１１７は、ｅＮＢ１１５、Ｓ−ＧＷ１１６とＰＤＮ  ＧＷ１１３と通信して、３ＧＰＰネットワーク１００における無線アクセス装置の移動性管理を行う。注意すべきことは、人と人（Ｈ２Ｈ）通信と比較して、用語ＭＴＣは、マシンツーマシン（Ｍ２Ｍ）通信と称され、Ｈ２Ｈ装置と比較して、ＭＴＣデバイスは、Ｍ２Ｍデバイスと称される。
【００１６】
図１の例において、ＭＴＣサーバ１１１は、構築されたアプリケーション−プログラミングインターフェース（ＡＰＩ）１４０により、アプリケーション（ＡＰＰ）プロトコル層で、各種ＭＴＣサービス／アプリケーションを、ＭＴＣユーザー１１２に提供する。一般のＭＴＣアプリケーションは、セキュリティ（たとえば、監視システム）、トラッキングとトレース（たとえば、走行距離連動型保険金支払）、支払い（たとえば、自動販売機とゲーム機）、健康（たとえば、健康説得システム：ｈｅａｌｔｈ  ｐｕｒｓｕａｉｏｎ  ｓｙｓｔｅｍ）、リモートメンテナンス／制御、計測（たとえば、スマートグリッド）、消費者装置（たとえば、ｅＢｏｏｋｓ）を含む。エンドツーエンドＭＴＣサービスを提供するため、ＭＴＣサーバ１１１は、３ＧＰＰネットワークにおいて、複数のＭＴＣデバイスと通信する。各ＭＴＣデバイス（たとえば、ＭＴＣデバイス１１４）は、各種プロトコル層モジュールを含み、エンドツーエンドＭＴＣアプリケーションとデータ接続をサポートする。アプリケーションレベルにおいて、ＡＰＰモジュール１３１は、ＡＰＰプロトコル層で、ＭＴＣサーバ１１１と通信し（たとえば、点線１４１により示される）、ＡＰＰモジュールは、エンドツーエンド制御／データを提供する。ネットワークレベルにおいて、ＮＡＳモジュール１３２は、非アクセス層（ＮＡＳ：Ｎｏｎ−Ａｃｃｅｓｓ  Ｓｔｒａｔｕｍ）プロトコル層で、ＭＭＥ１１７と通信し（たとえば、点線１４２により示される）、ＮＡＳモジュールは、移動性管理と別のシグナリング機能をサポートする。ＲＡＮレベルにおいて、ＲＲＣモジュール１３３は、無線リソース制御（ＲＲＣ）プロトコル層で、ｅＮＢ１１５と通信し（たとえば、点線１４３により示される）、ＲＲＣモジュールは、システム情報のブロードキャスト、ＲＲＣ接続制御、ページング、無線設定制御、ＱｏＳ制御等を処理する。
【００１７】
移動通信ネットワークにおいて、ページングは、アイドルユーザー装置（ＵＥ）を検索し、シグナリング接続を構築するのに用いられる。たとえば、ページングは、サービングゲートウェイ（Ｓ−ＧＷ）に着信するダウンリンクパケットによりトリガーされる。Ｓ−ＧＷが、アイドルＵＥ用のダウンリンクパケットを受信する時、ｅＮＢにパケットを伝送するアドレスを有さない。代わりに、Ｓ−ＧＷは、ＭＭＥに、ダウンリンクパケットが既に到達したことを通知する。ＭＭＥは、ＵＥが、どのトラッキングエリア（ＴＡ）をローミングし、ページング要求を、ＴＡリスト中の全ｅＮＢに伝送するかを知る。ページングメッセージの受信後、ＵＥはＭＭＥに応答し、ベアラー（ｂｅａｒｅｒｓ）が起動されて、ダウンリンクパケットがＵＥに転送される。
【００１８】
３ＧＰＰネットワークで定義される各種ページング工程がある。ＬＴＥコアネットワーク（ＣＮ）にとって、ネットワークは、ページング工程を用いて、ＮＡＳシグナリング接続の構築をＵＥに要求する。ページング工程の別の目的は、ネットワーク障害のため、必要な場合に、ＵＥに、再接続を促すことである。このほか、ネットワークは、ページング工程を用いて、モバイル終端ＣＳフォールバック工程を初期化することができる。ＬＴＥ無線アクセスネットワーク（ＲＡＮ）にとって、ページングは、ＲＲＣ＿ＩＤＬＥで、ページング情報をＵＥに伝送するのに用いられ、システム情報変化を、ＵＥに、ＲＲＣ＿ＩＤＬＥ、または、ＲＲＣ＿ＣＯＮＮＥＣＴＥＤで通知するのに用いられ、ＥＴＷＳプライマリー通知、および／または、ＥＴＷＳセカンダリー通知を通知するのに用いられ、および／または、ＣＭＡＳ通知を通知するのに用いられる。
【００１９】
モバイルネットワークのＭ２Ｍデバイスの数は、ＵＥの現在の数、すなわち、次数の大きさよりかなり多いことが予期される。このような大数量を有するので、ネットワークは、ページングリソースを使い果たし、余分な遅延を引き起こす。たとえば、無線フレーム中、ｍａｘＰａｇｅＲｅｃ＝１６、最大ページングサブフレームが４である時、モバイルネットワークは、一秒間で、最大、６，４００個のＭＴＣデバイスをページ化する。よって、潜在的な問題は、未来のＭＴＣデバイスにとって、現在のページングリソースは十分ではないことである。さらに、あるＭ２Ｍアプリケーションにとって、電力を抑えるために、非常に低いデューティサイクルになっている。よって、その低下を優先させるために、ＭＴＣページングが選択的に廃棄する場合、ページングオーバーロードは、許容できない長い遅延をＭＴＣデバイスに生じるか、または、ページング設定が、システム情報（たとえば、ＳＩＢ）修正により動的に変化する場合、普通のＵＥは、ＳＩＢを二回獲得しなければいけないので、アイドルモード下で、普通のＵＥの電力パフォーマンスを低下させる。
【００２０】
本実施態様において、３ＧＰＰネットワーク中、増強型ページングメカニズムがＭＴＣデバイスに用いられる。まず、普通のＵＥで追加工程又は電力消費のないＭＴＣデバイスに対して、余分のページングの時点を、適当的に割り当てるために、適切なページングが提案される。次に、１つのページングをもった複数のＭＴＣデバイスを同時にページ化するグループページングが提案される。グループブロードキャスティングとグループ解除も提案される。最後に、リソースポリシーをもつページングが、ＭＴＣデバイスに対して、予め又は動的に設定されたページングのリソースポリシーに提案される。
【００２１】
図２は、一実施態様によるＭＴＣデバイス２０１のブロック図である。ＭＴＣデバイス２０１は、メモリ２１１、プロセッサ２１２、アンテナ２１４に結合される無線周波数（ＲＦ）モジュール２１３、ベースバンドモジュール２１５、各種プロトコル層をサポートする３ＧＰＰプロトコルスタックモジュール２２６、ＴＣＰ／ＩＰプロトコルスタックモジュール２２７、アプリケーションモジュール２２８、および、ページング管理モジュール２３１、および、接続管理モジュール２３２を含む管理モジュール２３０を含む。各種プロトコル層は、ＮＡＳ２２５、ＲＲＣ２２４、ＰＤＣＰ／ＲＬＣ２２３、ＭＡＣ２２２とＰＨＹ２２１を含む。各種モジュールは、機能モジュールで、且つ、ソフトウェア、ファームウェア、ハードウェア、または、それらの組み合わせにより実施される。プロセッサ２１２（メモリ２１１中に含まれるプログラム指令により）により実行される機能モジュールは互いに作用して、ＭＴＣデバイス２０１が、適応ページング、グループページング、グループブロードキャスティング、および／または、レスポンスポリシーを有するページングを実行できるようにする。たとえば、接続管理モジュール２３２が、ネットワークと、接続をセットアップ／解除する間、ページング管理モジュール２３１は、ページング時点の監視、および、ページング応答の責任を負う。
【００２２】
図３は、一実施態様による移動通信ネットワークにおいて、ＭＴＣデバイスに用いられる増強型ページングメカニズムを示す図である。図３の例において、複数のＭＴＣデバイス（たとえば、ＭＴＣデバイス３１０）は、ｅＮＢ３２０とＭＭＥ３３０により、ＭＴＣサーバ３４０と通信する。ステップＳ３５１において、ＭＴＣサーバ３４０は、ダウンリンクパケットをＭＴＣデバイス３１０に初期化する。ステップＳ３５２において、ＭＭＥ３３０は、ページング要求をｅＮＢ３２０に伝送する。ステップＳ３５３において、ｅＮＢ３２０は、ＲＲＣページングメッセージを、ＭＴＣ３１０に伝送する。最後に、ステップＳ３５４において、ＭＴＣ３１０はページングメッセージを受信すると共に、ページングレスポンスをｅＮＢ３２０に送り戻す。第一実施態様において、ＭＴＣデバイス３１０は、ページングメッセージ中に含まれる“継続フラグ”に基づいて、適応的に、ページング時点を監視する。第二実施態様において、ＭＴＣデバイス３１０は、グループページングＩＤを用いて、ページングチャネルを監視し、ＡＳレベル、ＮＡＳレベル、または、アプリケーションレベル、独立して、または、それらの任意の組み合わせで制御される。第三実施態様において、ＭＴＣデバイス３１０は、所定の、または、動的に割り当てられたページングポリシーに基づいて、ページングメッセージに応答する。
【００２３】
図４は、３ＧＰＰネットワークで定義されるページングフレーム（ＰＦ）とページング時点（ＰＯ）を示す図である。ページングフレームは、ひとつまたは複数のページング時点を含む一無線フレームである。ＰＦは以下の公式により与えられる。
【数１】
0005789859.tif 000002
【００２４】
ページング時点はサブフレームであり、当該サブフレームには、ページングメッセージをアドレスする物理ダウンリンク制御チャネル（ＰＤＣＣＨ）で伝送されるページング無線ネットワーク一時識別子（Ｐ−ＲＮＴＩ）が存在する。表４１０に示されるように、ページングメッセージは、ページングとシステム情報変化通知に用いられる。ページングに用いられるトランスポートチャネルはページングチャネル（ＰＣＨ）と称され、ページングチャネルに用いられる論理チャネルはページング制御チャネル（ＰＣＣＨ）と称される。表４２０（ＦＤＤに用いられる）と表４３０（ＴＤＤに用いられる）に示されるように、サブフレームパターンからＰＯを指し示すインデックスｉ＿ｓは、以下の式から導かれる。
【数２】
0005789859.tif 000003
【００２５】
ＰＦとＰＯがネットワーク中で定義される時、ＭＴＣデバイスの数はページ化されるが、経時的に一致しない。ある状況で、この数は前の容量よりはるかに大きい。一般に、ＭＴＣページングが第二優先度と見なされる場合には、ページングスペースが不十分なために、ネットワークが、装置のＰＯ中に、時間内で、装置ＩＤを挿入できない状況が存在し、著しい遅延を引き起こす場合がある。ネットワークがどの程度のページ化を提供するかがわからない。ネットワークがページングロードを提供できず、ページ要求の長い遅延により、コンスタントにページを落とす場合には、 “再ページ化”のため、コアネットワークから、さらなるページ要求を招く。そして、アンラッキーなＭＴＣデバイスは、無期限に、ページ停止を被る。
【００２６】
図５は、ＭＴＣデバイスの適応ページング設計の具体例を示す図である。アイドルモード下の普通のＵＥは、各ＤＲＸ周期で、ひとつのサブフレーム（ＰＯ）だけを起動しなければならない。ＭＴＣデバイスは、通常、ＵＥ特定ＤＲＸ値の最長ＤＲＸ周期を応用する。アイドルモードのＤＲＸに加え、ＤＲＸ値が操作にとって十分に長くない場合、ＭＴＣデバイスは、さらに長いスリープ周期を有する。スリープモード下で、ＭＴＣデバイスは、完全に、その無線をオフにし、スリープモードで、ＭＴＣユーザー、または、ネットワークは、ＭＴＣデバイスに到達／トリガー／ページ化することができない。よって、図５に示されるように、ＭＴＣデバイスのＰＯは、ページング周期Ｎ中のサブフレーム＃１、および、次のページング周期Ｎ＋１中のサブフレーム＃２で発生する。各ページング周期において、ＭＴＣデバイスは、そのＰＯを監視すると共に、次のＰＯになるまで、ＤＲＸに入る。たとえば、ＭＴＣデバイスが、サブフレーム＃１でページングを受信しない場合、サブフレーム＃２の次のＰＯまで、ＤＲＸに入る。
【００２７】
適応ページング下で、余分のページング時点が、適応的に割り当てられる。図５の例において、“継続”フラグが、ページングメッセージに導入される。ｅＮＢが、対応するＰＯ中に、全ページを挿入できない時、 “継続”フラグをＴＲＵＥに設定する。普通のＵＥは、フラグを無視し、使われていないものとして進められる。しかし、ＭＴＣデバイスにとって、フラグが設定され、ページングが受信されていない場合には、ＭＴＣデバイスは、次のＰＯまでＤＲＸに入る代わりに、ＰＯの監視を “継続”する。たとえば、ＭＴＣデバイスは、次のＮページングサブフレームで、ＰＤＣＣＨを監視する（ただし、Ｎ＝１，２，３…等である）。フラグはＮを含むか、または、Ｎは予め定義することが可能である。また、ＭＴＣデバイスのどのグループが、追加ＰＯ（たとえば、サブフレーム＃３）を監視する必要があるか設定することが可能である。たとえば、ＭＴＣデバイスは、ＲＲＣ、または、ＮＡＳにより、専用のシグナリングから、フラグを無視するように設定される。ｅＮＢは、また、ページングサブフレームの監視を継続すべきＭＴＣグループをブロードキャストする。一旦、ＭＴＣデバイスがページングを受信すると、フラグのページング監視軽視を中止して、ページングに応答する。
【００２８】
グループページングは、ＭＴＣデバイスのページングパフォーマンスを増強する別のメカニズムである。Ｍ２Ｍグループ化は、多くのレベルで有用である。ＡＳレベルにおいて、グループＩＤがＭ２Ｍグループに設定される。一ページングを利用して、グループ監視ページング中の全ＭＴＣデバイスをページ化する。このようなＭ２Ｍグループは、ｅＮＢにより制御されて、ＡＳリソースを節約する。ＮＡＳレベルにおいて、コアネットワークレベル中、Ｍ２Ｍグループ化が、たとえば、ＭＭＥにより制御されて、シグナリングオーバーヘッドを節約する。管理を簡単にするため、アプリケーションレベルにおいて、Ｍ２Ｍグループ化は、ＭＴＣユーザー、または、ＭＴＣサーバにより制御される。異なるレベルのＭ２Ｍグループ化は、独立して、または、共存で、フレキシブル性を提供する。
【００２９】
図６は、３ＧＰＰネットワーク６００におけるグループページングを示す図である。移動通信ネットワーク６００は、ＭＴＣサーバ６１０、パケットデータネットワークゲートウェイ（ＰＤＮ  ＧＷ）６２０、サービングゲートウェイＳ−ＧＷ６３０、モビリティ管理エンティティＭＭＥ６４０、基地局ｅＮＢ６４１とｅＮＢ６４２、および、大グループのＭ２Ｍデバイス６５０を含む。図６の例において、装置管理、たとえば、ソフトウェア更新、または、周期的ポーリングのため、ＭＴＣサーバ６１０は、グループ中の各ＭＴＣデバイスが応答する必要がある。グループページングのサポートがない状況下で、ページのシグナリングはひとつずつ完成される必要がある。グループページングのサポートがある状況下で、ＭＴＣサーバ６１０は、全ＭＴＣデバイス６５０のＭ２Ｍアプリケーションに基づいて、グループＩＤを有するＭ２Ｍグループをセットアップする。ＭＴＣサーバ６１０は、グループＩＤをＭＭＥ６４０に伝送し、その後、ＭＭＥ６４０は、グループＩＤを有するページ要求を、接続されたｅＮＢ６４１とｅＮＢ６４２に伝送し、ｅＮＢ６４１とｅＮＢ６４２は、グループＩＤをページングメッセージに挿入する。グループページングをサポートすることにより、シグナリングが最適化される。
【００３０】
図７は、ＲＲＣページングメッセージ７００の一例を示す図である。ページングメッセージは、ページング記録のリストを含む。各ページング記録は、国際移動加入者識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）とサービング一時的移動局識別子（Ｓ−ＴＭＳＩ：Ｓｅｒｖｉｎｇ  Ｔｅｍｐｏｒａｒｙ  Ｍｏｂｉｌｅ  Ｓｕｂｓｃｒｉｂｅｒ  Ｉｄｅｎｔｉｔｙ）間の選択肢であるＵＥ識別子を含む。各種グループＩＤが、グループページングに用いられる。第一具体例において、グループページングは、ＩＭＳＩに基づいて実行される。第二具体例において、グループページングは、Ｓ−ＴＭＳＩに基づいて実行される。
【００３１】
図８は、Ｇ−ＩＭＳＩをグループページングＩＤとするグループページングの具体例を示す図である。ＩＭＳＩに加え、各ＭＴＣデバイスが、グループＩＭＳＩ（Ｇ−ＩＭＳＩ）により設定される。各Ｇ−ＩＭＳＩとＩＭＳＩにとって、上層は、対応するページング時点が従うべきかどうか、を指示しなければならない。ステップＳ８５１において、ＭＴＣデバイス８１０のグループは、ＭＴＣサービスをＭＴＣサーバ８４０に登録する。ステップＳ８５２において、ＭＴＣサーバ８４０は、グループページングＩＤ（Ｇ−ＩＭＳＩ）を含んだ登録情報をもつＭＴＣデバイスを確認する。この例において、ページンググループは、ＭＴＣサーバにより予め定義され、各ＭＴＣデバイスのＳＩＭに保存される（ステップＳ８５３）。ＭＭＥ８３０は、Ｇ−ＩＭＳＩのＴＡリストを維持する（ステップＳ８５４）。ステップＳ８５５において、ＭＭＥ８３０は、ページング要求を、関係するｅＮＢ８２０に伝送する。ステップＳ８５６において、ｅＮＢ８２０は、ページングメッセージを、ＭＴＣデバイス８１０のグループに伝送する。新しいメカニズムは、ＩＭＳＩより周波数が低いＧ−ＩＭＳＩのＰＯ監視するために用いられる（ステップＳ８５７）。たとえば、異なるページング周期、または、ｎＢがＧ−ＩＭＳＩに定義される。最後に、ページングメッセージ中に含まれるＧ−ＩＭＳＩを適合させた後、ＭＴＣデバイス８１０は、ページングレスポンスをｅＮＢ８２０に送り戻す（ステップＳ８５８）。通常、ＲＲＣ接続が構築され、および、ベアラーが、ＭＴＣデバイスに起動する。
【００３２】
図９は、Ｇ−Ｓ−ＴＭＳＩをグループページングＩＤとするグループページングの具体例を示す図である。Ｓ−ＴＭＳＩに加え、ネットワークに接続される時、各ＭＴＣデバイスは、グループＳ−ＴＭＳＩ（Ｇ−Ｓ−ＴＭＳＩ）により設定される。ステップＳ９５１において、ＭＴＣデバイス９１０のグループは、ひとつ以上のｅＮＢ９２０と、ＲＲＣ接続を構築する。ステップＳ９５２において、ＭＭＥ９３０は、ＮＡＳシグナリングメッセージを、ＭＴＣデバイスに伝送する。ＮＡＳシグナリングメッセージは、ＭＴＣデバイスにグループページングＩＤ  （Ｇ−Ｓ−ＴＭＳＩ）を設定する設定情報を含む。この例において、Ｇ−Ｓ−ＴＭＳＩページンググループはフレキシブルで、且つ、ＮＡＳシグナリングにより変化される。たとえば、ＭＭＥ９３０は、それ自身の決定、または、ホーム加入者サーバ（ＨＳＳ）からの情報に基づいて、グルーピングを設定する。ステップＳ９５３において、ＭＭＥ９３０は、Ｇ−Ｓ−ＴＭＳＩのＴＡリストを維持する。ステップＳ９５４において、ＭＭＥ９３０は、ページング要求を、関係するｅＮＢ９２０に伝送する。ステップＳ９５５において、ｅＮＢ９２０は、ページングメッセージをＭＴＣデバイス９１０のグループに伝送する。ステップＳ９５６において、ＭＴＣデバイス９１０はＰＯを監視する。Ｇ−Ｓ−ＴＭＳＩグルーピングは、ページング監視を変化させない。最後に、ページングメッセージ中に含まれるＧ−Ｓ−ＴＭＳＩを適合させた後、ＭＴＣデバイス９１０は、ページングレスポンスをｅＮＢ９２０に送り戻す（ステップＳ９５７）。通常、ＲＲＣ接続が構築され、ベアラーが、ＭＴＣデバイスに起動する。
【００３３】
別のメカニズムが、グルーピングページングサポートをさらに増強するのに用いられる。たとえば、グループページングＩＤに沿って伝送される追加規則を用いることにより、好ましい粒度（ｇｒａｎｕｌａｒｉｔｙ）、または、フレキシブルが提供される。具体例において、ページングルールは、デバイスＩＤのグループの“マスク”または“ワイルドカード”を含む。たとえば、疑問符“？”は、０または１のワイルドカードとして用いられる。“１０１０１１？？”のグループページングＩＤは、“１０１０１１００”、“１０１０１１０１”、“１０１０１１１０”または“１０１０１１１１”に等しいデバイスＩＤを有する全装置がページ化されることを意味する。別の具体例において、オペランドが、グループページングＩＤに提供される。複雑なグループページングタスクを導入するため、論理素子、ＡＮＤ／ＯＲ／ＮＯＴ、Ｍ２Ｍカテゴリー、および／または、属性とマスクを利用して、共同で、グループページング規則を形成する。たとえば、一のページングルールは、（優先度＝１）で、（カテゴリー＝スマートメーター）を有する全ＭＴＣデバイスをページ化し、別のページングルールは、（ページンググループ＝１１１１００？？）で、（属性＝定期報告）に属する全ＭＴＣデバイスをページ化する。
【００３４】
ページンググループは、異なるレベルで、異なって管理される。第一例において、地上波公共移動通信ネットワーク（ＰＬＭＮ：Ｐｕｂｌｉｃ  Ｌａｎｄ  Ｍｏｂｉｌｅ  Ｎｅｔｗｏｒｋ）全体は、同じページンググループをシェアする。一のｅＮＢ又はＴＡ下のグループＸ、および、別のｅＮＢ又はＴＡ下のグループＸは、同じページンググループＸに属する。第二の例において、ＴＡ全体は、同じページンググループをシェアする。一のＴＡ下のグループＹ、および、別のＴＡ下のグループＹは異なる。同じＴＡ中、一のｅＮＢ下のグループＹ’、および、別のｅＮＢ下のグループＹ’は、同じページンググループＹ’に属する。第三の例において、ページンググループは、あるｅＮＢ下で単一である。一のｅＮＢ下のグループＺ、および、別のｅＮＢ下のグループＺは異なる。ページンググループの大きさを最適化することができる。ページンググループが大き過ぎる場合、高ＲＡＣＨコリジョンの確率を高くし、長い遅延と更なる電力消費を生じる。一方、ページンググループが小さすぎる場合、ＲＡＣＨリソースが十分に用いられない。グループページングが、ＰＬＭＮ、または、ＭＴＣサーバから要求される時、完全なＵＥ識別子（ＩＭＳＩ、または、Ｓ−ＴＭＳＩ）を伝送するのに代わって、グループ識別子（オペランドと規則を選択できる）が伝送される。一旦、グループ識別子が設定されると、ＭＴＣデバイスは、対応するページング時点とリソースで、グループのページングを監視する。適合するグループ識別子が存在する場合、又は、規則の組み合わせに合致する場合、ページングに応答する。
【００３５】
グループページングが、グループブロードキャスティングに用いられる。たとえば、ＯＡＭ又はソフトウェア更新等のあるＭＴＣアプリケーションでは、メッセージの内容は、おそらく、ＭＴＣデバイスのグループにとって同じである。よって、グループブロードキャスティングは有用で、無線リソースを節約する。図１０は、３ＧＰＰネットワークにおけるグループブロードキャスティングの具体例を示す図である。ステップＳ１０５１において、ＭＴＣサーバ１０４０は、例えばグループソフトウェア更新などの選択的な目的指示をもつグループＩＤをＭＭＥ１０３０に伝送する。ステップＳ１０５２において、ＭＭＥ１０３０は、グループＩＤを有したひとつ又は複数の関係をもつｅＮＢ１０２０に対して、ページング要求を伝送する。ステップＳ１０５３において、ｅＮＢ１０２０は、グループＩＤを、ページングメッセージに挿入すると共に、ページングメッセージを、ＭＴＣデバイス１０１０のグループに伝送する。ＭＴＣデバイスは、グループＩＤのＰＯを監視する（ステップＳ１０５４）。ページングメッセージの受信後、ＭＴＣデバイス１０１０は、ｅＮＢ１０２０とＲＲＣ接続を構築する（ステップＳ１０５５）。グループＲＮＴＩ（Ｇ−ＲＮＴＩ）は、接続セットアップ、または、ＲＲＣ再設定期間中に割り当てられる。ＭＴＣデバイス１０１０も、ＭＭＥ１０３０に接続され、ベアラーをＳ−ＧＷに構築する（ステップＳ１０５６）。ステップＳ１０５７において、ＭＭＥ／Ｓ−ＧＷは、グループＩＤを用いて、ソフトウェア更新メッセージをｅＮＢ１０２０に伝送する。更新メッセージは、グループ中の全ＭＴＣデバイスに用いる。
【００３６】
ステップＳ１０５８において、ｅＮＢ１０２０は、Ｇ−ＲＮＴＩを利用して、更新メッセージを、グループ中の全ＭＴＣデバイスにブロードキャストする。グループ中のＭＴＣデバイスは、Ｇ−ＲＮＴＩを用いて、ブロードキャストデータのＰＤＣＣＨ監視（たとえば、ソフトウェア更新）に用いる。ＨＡＲＱが存在しない場合、ＢＣＣＨ（セルブロードキャストチャネル、たとえば、ＢＣＣＨ上の新しいＳＩＢ）と同様に、ＰＨＹメカニズムを利用して、成功率、たとえば、反復、ＴＴＩバンドル（ｂｕｎｄｌｉｎｇ）を保証する。ＨＡＲＱが用いられる場合、ｅＮＢは、最大ＨＡＲＱ再伝送に達するまで、ＨＡＲＱフィードバックがＮＡＣＫであると仮定する。ＭＴＣデバイスは、何も伝送しないＴＢをうまく受信し、ＭＴＣデバイスは、ＮＡＣＫを伝送するＴＢをデコードすることができず、かつ、少なくともひとつの受信されたＮＡＣＫが存在する場合にはｅＮＢは再伝送する。ＰＨＹではなく、ＭＡＣ中で、ＮＡＣＫを実行する。ステップＳ１０５９において、ＭＴＣデバイス１０１０はソフトウェア更新を実行する。
【００３７】
グループ解除命令を用いることにより、備えられたＭＴＣデバイスのグループがリリースされる（たとえば、ステップＳ１０６０）。たとえば、シグナリングメッセージをＲＲＣＣｏｎｎｅｃｔｉｏｎＲｅｌｅａｓｅとするブロードキャストバージョンを利用して、装置の適用タイプを指示する。低優先度の装置がメッセージを見た時、ＲＲＣ接続解除を実行して、リソースをリリースする。メッセージは、セルブロードキャストチャネル（たとえば、ＢＣＣＨ上の新しいＳＩＢ）で伝送されて、関係するＭＴＣデバイスで聞く。
【００３８】
図１１は、ＭＯセッション、または、ＭＴセッションに関連するＭ２Ｍページングの例を示す図である。Ｍ２Ｍページングにとって、デバイスＩＤがページングメッセージに含まれる時、二個の可能な手段がある。第一手段において、ページング受信時（ステップＳ１１３１）、ページ化されたＭＴＣデバイスは、起動して、接続を構築しなければならない（ステップＳ１１３２）（モバイル着信ＭＴセッション）。第二手段において、ネットワークは、ページ化されたＭＴＣデバイスに、起動して、接続を構築したいか尋ねる（モバイル発信ＭＯセッション）。一旦、ＭＴＣデバイスが特別なページングを受信すると（ステップＳ１１３３）、条件に合うか、並びに、ＭＯデータを利用して応答する必要があるか決定する（ステップＳ１１３４）。ＭＴＣデバイスが、ＭＯデータの応答を決定する場合、接続構築工程、たとえば、ＲＡＣＨプリアンブル伝送を初期化しなければならない（ステップＳ１１３５）。
【００３９】
データトラフィックが予測可能な場合、ＣＮ又はＭＴＣサーバからのＭＯポーリングは、エンドツーエンドロード制御を実行するフレキシブルなスキームである。ＭＯのページングに基づいたスキームの主な長所は、たとえば、ＢＣＣＨにより制御される所定の時間スケジューリングスキームと比べて、フレキシブルであることである。ＭＯページングは、予め、トラフィックをオフロードする。たとえばメーター読み取り等、遅延許容のアプリケーションに対して、完全にＭＯ要求を停止すると共に、ＭＯページングだけに応答して、ＭＴＣデバイスからデータを得ることも可能である。これは、悪く調整されたＭＯセッションにより生成されるトラフィックバースト、たとえば、同一時間の異なるタイプのメーター読み取りのため、ＲＡＮオーバーロード（たとえば、ＲＡＣＨオーバーロード）の可能性を減少させる。ＭＯに加え、たとえば、ＯＡＭ又はソフトウェア更新目的のために、全ＭＴＣデバイスが、ＭＴセッションをサポートする必要がある。よって、ページングメッセージは、ページ化されるＭＴＣデバイスが即座に応答すべきか否か（ＭＴセッション）、又は、ＭＯデータの可用性だけに基づいて応答すべきか否か（ＭＯセッション）を指示しなければならない。
【００４０】
異なるページングレスポンスの指示は、各種方法で実施される。第一の例において、ページングメッセージ中、たとえば“ＭＯページ”又は“ＭＴページ”等のフラグ又は設定オプション、が存在する。第二の例において、異なるＰ−ＲＮＴＩが用いられる。第三の例において、特別なページングコード、または、ページングＩＤが用いられる。第四の例において、ＭＴＣデバイスは、事前設定されたページング機会に適用される（たとえば、普通のページング（ＭＴページ）が幾つかのページング機会で伝送され、特別なページング（ＭＯページ）が別のページング機会で伝送される）。
【００４１】
異なるページングレスポンスの指示に加え、異なるレスポンスポリシーが設定されて、ページングパフォーマンスを最適化する。第一の具体例において、ページングレスポンスポリシーは、装置に、予め定義される。たとえば、ページングメッセージ受信後、デバイスは、３個のレスポンスポリシーを有するように設定される。第一ポリシーで、装置は、即座に、ネットワークに接続される。第二ポリシーで、装置はネットワークに接続しなければならないが、一定の遅延がある。このポリシーは、ネットワークエントリー混雑軽減技術（ｎｅｔｗｏｒｋ  ｅｎｔｒｙ  ｃｏｎｇｅｓｔｉｏｎ  ａｌｌｅｖｉａｔｉｏｎ  ｔｅｃｈｎｉｑｕｅ）と組み合わせることができる。第三ポリシーで、装置は、ネットワークに接続しても、しなくてよく、たとえば、バッファされたデータがあるときだけ、装置は、ネットワークに接続する。装置は、報告するデータがあるかないかに基づいて決定する（および／または、データの優先度を報告）。装置は、ネットワークロード状態に基づいて決定される。
【００４２】
第二の具体例において、ページングレスポンスポリシーが動的に割り当てられる。ページングレスポンスポリシーは、ページングメッセージ（たとえば、情報素子、または、フラグビット、確率情報）中で定義される。確率情報にとって、単独で、多くの装置をポーリングするのではなく、グループ識別子と確率によりページングを実行する（各ＵＥの基礎上でランダム化を実行する）。これは、特定の応用、たとえば、収集グループ状態に対し有用である。たとえば、装置はダイス（ｄｉｃｅ）を転がし、かつ、与えられた確率と比較して、ネットワークと接続するかどうか決定する。装置がアイドルモードに入る前若しくは入る時（たとえば、メッセージ、または、別のシグナリングを解除する）、ページングレスポンスポリシーも設定される。
【００４３】
図１２は、ページングレスポンスポリシーを動的に割り当てる二個の選択肢を示す図である。図１１の例において、ページングレスポンスポリシーは、ページングメッセージ中に含まれる。たとえば、ローディング認識ポリシー（ｌｏａｄｉｎｇ−ａｗａｒｅ  ｐｏｌｉｃｙ）および／または分化したアクセスクラスポリシー（ｄｉｆｆｅｒｅｎｔｉａｔｅｄ  ａｃｃｅｓｓ  ｃｌａｓｓ  ｐｏｌｉｃｙ）は、ページングメッセージにより搭載される。第一の選択肢において、１つのページングメッセージ中、各ポリシーインジケーターは、ポリシーを応用する一組のページングデバイスＩＤに続く。たとえば、ページングデバイスＩＤ１、ＩＤ２、ＩＤ３とＩＤ４は、ポリシーインジケーターＩの下で、レスポンスポリシーを応用し、ページングデバイスＩＤ５、ＩＤ６とＩＤ７は、ポリシーインジケーターＩＩの下で、別のレスポンスポリシーを応用する。第二選択肢において、１つのページングメッセージ中、各ページングデバイスＩＤは、対応するポリシーインジケーターに続く。たとえば、ＩＤ１−ＩＤ４を有する各ページングデバイスは、ポリシーインジケーターＩに関連し、ＩＤ５−ＩＤ６を有する各ページングデバイスは、ポリシーインジケーターＩＩに関連する。
【００４４】
本発明では好ましい実施例を前述の通り開示したが、これらは決して本発明に限定するものではなく、当該技術を熟知する者なら誰でも、本発明の技術的思想を脱しない範囲内で各種の変形を加えることができる。
【図２】
0005789859.tif 000004
【図４】
0005789859.tif 000005
【図７】
0005789859.tif 000006
【図１２】
0005789859.tif 000007
【図１】
0005789859.tif 000008
【図３】
0005789859.tif 000009
【図５】
0005789859.tif 000010
【図６】
0005789859.tif 000011
【図８】
0005789859.tif 000012
【図９】
0005789859.tif 000013
【図１０】
0005789859.tif 000014
【図１１】
0005789859.tif 000015